(57)【要約】【課題】  携帯端末装置の使用者が製品納入日等の期日を忘れることなく、その受け渡し日を知ることが可能な情報交換システムを提供する。【解決手段】  非接触ＩＣカード機能を有する携帯端末装置１には外部入力スケジュール部が設けられ、リーダ／ライタ装置３にはデータ管理部が設けている。非接触ＩＣ間の通信によって、リーダ／ライタ装置３から外部入力スケジュール部には特殊Ｎｏ、期日情報、製品情報、店情報を受信して記憶し、データ管理部には送出した特殊Ｎｏ、製品情報、期日情報及び携帯端末装置１との非接触ＩＣ間の通信によって得られた個人情報をリンクさせて記憶する。携帯端末装置１は外部入力スケジュール部に記憶された期日情報を基に使用者に対して報知を行う。【選択図】      図１
2007148468.tif 000002
【特許請求の範囲】
【請求項１】
非接触ＩＣ（Ｉｎｔｅｇｒａｔｅｄ  Ｃｉｒｃｕｉｔ）カード機能を持つ携帯端末装置と、前記非接触ＩＣカードに対する読み書きを行うリーダ／ライタ装置との間で前記非接触ＩＣカード機能を介して精算時の通信を行う情報交換システムであって、
前記リーダ／ライタ装置は、製品１つ１つに対して付与された特殊符号を記憶する記憶手段と、前記携帯端末装置との間の前記非接触ＩＣカード機能を介した通信による決算時に少なくとも期日情報と店情報と製品情報と当該製品に対応する前記特殊符号とを送信する手段と、これら送信した情報に前記携帯端末装置から得られた個人情報をリンクさせて前記記憶手段に記憶する手段とを有することを特徴とする情報交換システム。
【請求項２】
前記携帯端末装置は、前記リーダ／ライタ装置との間の前記非接触ＩＣカード機能を介した通信による決算時に前記リーダ／ライタ装置から得られた前記期日情報と前記店情報と前記製品情報と当該製品に対応する前記特殊符号とを記憶するスケジュール機能と、前記スケジュール機能による前記期日情報に基づいて外部への報知を行う手段とを含むことを特徴とする請求項１記載の情報交換システム。
【請求項３】
前記携帯端末装置は、前記決算時に前記スケジュール機能に前記期日情報と前記店情報と前記製品情報と当該製品に対応する前記特殊符号とを記憶する際に前記リーダ／ライタ装置へ前記個人情報を送出することを特徴とする請求項２記載の情報交換システム。
【請求項４】
前記リーダ／ライタ装置は、前記製品の受け渡し時に前記記憶手段に記憶した店情報と前記特殊符号との一致を検出する手段を含み、
前記携帯端末装置は、前記製品の受け渡し時に前記スケジュール機能に記憶した店情報と前記特殊符号との一致を検出する手段を含むことを特徴とする請求項２または請求項３記載の情報交換システム。
【請求項５】
前記携帯端末装置は、前記製品の受け渡し期日を過ぎた場合に前記リーダ／ライタ装置からの電子メールによる期日連絡の必要の有無を示す情報を記憶しておく手段を含み、前記リーダ／ライタ装置との前記非接触ＩＣカード機能を介した通信による決算時に前記期日連絡の必要の有無を示す情報を前記個人情報とともに送出することを特徴とする請求項１から請求項４のいずれか記載の情報交換システム。
【請求項６】
前記リーダ／ライタ装置は、前記携帯端末装置との前記非接触ＩＣカード機能を介した通信による決算時に送出した前記期日情報と前記店情報と前記製品情報と前記特殊符号と前記携帯端末装置から得られた前記個人情報と前記製品受け渡しの期日を過ぎた場合に前記電子メールによる期日連絡の必要の有無を示す情報とをリンクさせて前記記憶手段に記憶することを特徴とする請求項５記載の情報交換システム。
【請求項７】
前記リーダ／ライタ装置は、前記記憶手段に記憶された予約製品の期日情報を予め設定された特定時間に確認する手段と、前記期日を超過している場合に前記製品を予約した前記携帯端末装置に対して前記電子メールにて期日超過している旨を連絡する手段とを含むことを特徴とする請求項５または請求項６記載の情報交換システム。
【請求項８】
非接触ＩＣ（Ｉｎｔｅｇｒａｔｅｄ  Ｃｉｒｃｕｉｔ）カード機能を持つ携帯端末装置との間で前記非接触ＩＣカード機能を介して精算時の通信を行いかつ前記非接触ＩＣカードに対する読み書きを行うリーダ／ライタ装置であって、
製品１つ１つに対して付与された特殊符号を記憶する記憶手段と、前記携帯端末装置との間の前記非接触ＩＣカード機能を介した通信による決算時に少なくとも期日情報と店情報と製品情報と当該製品に対応する前記特殊符号とを送信する手段と、これら送信した情報に前記携帯端末装置から得られた個人情報をリンクさせて前記記憶手段に記憶する手段とを有することを特徴とするリーダ／ライタ装置。
【請求項９】
前記製品の受け渡し時に前記記憶手段に記憶した店情報と前記特殊符号との一致を検出する手段を含むことを特徴とする請求項８記載のリーダ／ライタ装置。
【請求項１０】
前記携帯端末装置との前記非接触ＩＣカード機能を介した通信による決算時に送出した前記期日情報と前記店情報と前記製品情報と前記特殊符号と前記携帯端末装置から得られた前記個人情報と前記製品受け渡しの期日を過ぎた場合に電子メールによる前記携帯端末装置への期日連絡の必要の有無を示す情報とをリンクさせて前記記憶手段に記憶することを特徴とする請求項８または請求項９記載のリーダ／ライタ装置。
【請求項１１】
前記記憶手段に記憶された予約製品の期日情報を予め設定された特定時間に確認する手段と、前記期日を超過している場合に前記製品を予約した前記携帯端末装置に対して前記電子メールにて期日超過している旨を連絡する手段とを含むことを特徴とする請求項１０記載のリーダ／ライタ装置。
【請求項１２】
非接触ＩＣ（Ｉｎｔｅｇｒａｔｅｄ  Ｃｉｒｃｕｉｔ）カードに対する読み書きを行うリーダ／ライタ装置との間で精算時の通信を行うための非接触ＩＣカード機能を持つ携帯端末装置であって、
前記リーダ／ライタ装置との間の前記非接触ＩＣカード機能を介した通信による決算時に前記リーダ／ライタ装置から得られた期日情報と店情報と製品情報と当該製品に対応して付加された特殊符号とを記憶するスケジュール機能と、前記スケジュール機能による前記期日情報に基づいて外部への報知を行う手段とを有することを特徴とする携帯端末装置。
【請求項１３】
前記決算時に前記スケジュール機能に前記期日情報と前記店情報と前記製品情報と当該製品に対応する前記特殊符号とを記憶する際に前記リーダ／ライタ装置へ個人情報を送出することを特徴とする請求項１２記載の携帯端末装置。
【請求項１４】
前記製品の受け渡し時に前記スケジュール機能に記憶した店情報と前記特殊符号との一致を検出する手段を含むことを特徴とする請求項１２または請求項１３記載の携帯端末装置。
【請求項１５】
前記製品の受け渡し期日を過ぎた場合に前記リーダ／ライタ装置からの電子メールによる期日連絡の必要の有無を示す情報を記憶しておく手段を含み、前記リーダ／ライタ装置との前記非接触ＩＣカード機能を介した通信による決算時に前記期日連絡の必要の有無を示す情報を前記個人情報とともに送出することを特徴とする請求項１２から請求項１４のいずれか記載の携帯端末装置。
【請求項１６】
非接触ＩＣ（Ｉｎｔｅｇｒａｔｅｄ  Ｃｉｒｃｕｉｔ）カード機能を持つ携帯端末装置と、前記非接触ＩＣカードに対する読み書きを行うリーダ／ライタ装置との間で前記非接触ＩＣカード機能を介して精算時の通信を行う情報交換システムに用いる情報交換方法であって、
前記リーダ／ライタ装置が、前記携帯端末装置との間の前記非接触ＩＣカード機能を介した通信による決算時に記憶手段に記憶された少なくとも期日情報と店情報と製品情報と当該製品１つ１つに対して付与された特殊符号とを送信する処理と、これら送信した情報に前記携帯端末装置から得られた個人情報をリンクさせて前記記憶手段に記憶する処理とを実行することを特徴とする情報交換方法。
【請求項１７】
前記携帯端末装置が、前記リーダ／ライタ装置との間の前記非接触ＩＣカード機能を介した通信による決算時に前記リーダ／ライタ装置から得られた前記期日情報と前記店情報と前記製品情報と当該製品に対応する前記特殊符号とをスケジュール機能に記憶する処理と、前記スケジュール機能による前記期日情報に基づいて外部への報知を行う処理とを実行することを特徴とする請求項１６記載の情報交換方法。
【請求項１８】
前記携帯端末装置が、前記決算時に前記スケジュール機能に前記期日情報と前記店情報と前記製品情報と当該製品に対応する前記特殊符号とを記憶する際に前記リーダ／ライタ装置へ前記個人情報を送出することを特徴とする請求項１７記載の情報交換方法。
【請求項１９】
前記リーダ／ライタ装置が、前記製品の受け渡し時に前記記憶手段に記憶した店情報と前記特殊符号との一致を検出する処理を実行し、
前記携帯端末装置が、前記製品の受け渡し時に前記スケジュール機能に記憶した店情報と前記特殊符号との一致を検出する処理を実行することを特徴とする請求項１７または請求項１８記載の情報交換方法。
【請求項２０】
前記携帯端末装置が、前記製品の受け渡し期日を過ぎた場合に前記リーダ／ライタ装置からの電子メールによる期日連絡の必要の有無を示す情報を記憶しておく処理を実行し、前記リーダ／ライタ装置との前記非接触ＩＣカード機能を介した通信による決算時に前記期日連絡の必要の有無を示す情報を前記個人情報とともに送出することを特徴とする請求項１６から請求項１９のいずれか記載の情報交換方法。
【請求項２１】
前記リーダ／ライタ装置が、前記携帯端末装置との前記非接触ＩＣカード機能を介した通信による決算時に送出した前記期日情報と前記店情報と前記製品情報と前記特殊符号と前記携帯端末装置から得られた前記個人情報と前記製品受け渡しの期日を過ぎた場合に前記電子メールによる期日連絡の必要の有無を示す情報とをリンクさせて前記記憶手段に記憶することを特徴とする請求項２０記載の情報交換方法。
【請求項２２】
前記リーダ／ライタ装置が、前記記憶手段に記憶された予約製品の期日情報を予め設定された特定時間に確認する処理と、前記期日を超過している場合に前記製品を予約した前記携帯端末装置に対して前記電子メールにて期日超過している旨を連絡する処理とを実行することを特徴とする請求項２０または請求項２１記載の情報交換方法。
【請求項２３】
非接触ＩＣ（Ｉｎｔｅｇｒａｔｅｄ  Ｃｉｒｃｕｉｔ）カード機能を持つ携帯端末装置と、前記非接触ＩＣカードに対する読み書きを行うリーダ／ライタ装置との間で前記非接触ＩＣカード機能を介して精算時の通信を行う情報交換システムに用いる情報交換方法のプログラムであって、前記リーダ／ライタ装置のコンピュータに、前記携帯端末装置との間の前記非接触ＩＣカード機能を介した通信による決算時に記憶手段に記憶された少なくとも期日情報と店情報と製品情報と当該製品１つ１つに対して付与された特殊符号とを送信する処理と、これら送信した情報に前記携帯端末装置から得られた個人情報をリンクさせて前記記憶手段に記憶する処理とを実行させるためのプログラム。
【請求項２４】
非接触ＩＣ（Ｉｎｔｅｇｒａｔｅｄ  Ｃｉｒｃｕｉｔ）カードに対する読み書きを行うリーダ／ライタ装置との間で精算時の通信を行うための非接触ＩＣカード機能を持つ携帯端末装置に用いる情報交換方法のプログラムであって、前記携帯端末装置のコンピュータに、前記リーダ／ライタ装置との間の前記非接触ＩＣカード機能を介した通信による決算時に前記リーダ／ライタ装置から得られた期日情報と店情報と製品情報と当該製品に対応して付加された特殊符号とをスケジュール機能に記憶する処理と、前記スケジュール機能による前記期日情報に基づいて外部への報知を行う処理とを実行させるためのプログラム。
【発明の詳細な説明】
【技術分野】
【０００１】
本発明は情報交換システム、リーダ／ライタ装置、携帯端末装置及びそれらに用いる情報交換方法並びにそのプログラムに関し、特に非接触ＩＣ（集積回路）カード機能を持つ携帯端末装置と非接触ＩＣカード機能に対して情報の読出し書込みを行うリーダ／ライタ装置とに関する。
【背景技術】
【０００２】
近年、コンビニエンスストアの店頭での決算や交通料金の精算に用いられる非接触ＩＣカード機能を携帯端末装置に搭載し（例えば、特許文献１参照）、プリペイド型電子マネーサービスに利用する携帯端末装置が市場に出始めている。
【０００３】
現在、家電店でＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）を予約した場合、また、クリーニング店でクリーニングを依頼した場合、携帯端末装置に搭載された非接触ＩＣカード機能と、店舗に備え付けられたリーダ／ライタ装置との間で通信を行い、その通信による電子マネーを利用し、決算を行うことが可能である。
【０００４】
【特許文献１】特開２００３−０６７４８号公報
【発明の開示】
【発明が解決しようとする課題】
【０００５】
しかしながら、上述した従来の非接触ＩＣカード機能搭載の携帯端末装置では、非接触ＩＣカード機能と店舗のリーダ／ライタ装置との間での通信によって決算が行われたとしても、消費者側において、予約した製品の納入日、クリーニングに出した衣類等の完了日等を、販売員の口頭による情報を耳で聞いて覚えておくか、販売員から渡される予約を証明する紙を管理しなければならず、期日を忘れてしまうという問題がある。
【０００６】
また、上述した従来の非接触ＩＣカード機能搭載の携帯端末装置では、予約した製品、クリーニングに出した衣類等の受け渡し時に予約を証明する紙と引き換えに、製品やクリーニングされた衣類を引き渡されているため、予約を証明する紙をなくしてしまった場合に製品を受け取ることができないという問題がある。
【０００７】
そこで、本発明の目的は上記の問題点を解消し、携帯端末装置の使用者が製品納入日等の期日を忘れることなく、その受け渡し日を知ることができる情報交換システム、リーダ／ライタ装置、携帯端末装置及びそれらに用いる情報交換方法並びにそのプログラムを提供することにある。
【課題を解決するための手段】
【０００８】
本発明による情報交換システムは、非接触ＩＣ（Ｉｎｔｅｇｒａｔｅｄ  Ｃｉｒｃｕｉｔ）カード機能を持つ携帯端末装置と、前記非接触ＩＣカードに対する読み書きを行うリーダ／ライタ装置との間で前記非接触ＩＣカード機能を介して精算時の通信を行う情報交換システムであって、
前記リーダ／ライタ装置は、製品１つ１つに対して付与された特殊符号を記憶する記憶手段と、前記携帯端末装置との間の前記非接触ＩＣカード機能を介した通信による決算時に少なくとも期日情報と店情報と製品情報と当該製品に対応する前記特殊符号とを送信する手段と、これら送信した情報に前記携帯端末装置から得られた個人情報をリンクさせて前記記憶手段に記憶する手段とを備えている。
【０００９】
本発明によるリーダ／ライタ装置は、非接触ＩＣ（Ｉｎｔｅｇｒａｔｅｄ  Ｃｉｒｃｕｉｔ）カード機能を持つ携帯端末装置との間で前記非接触ＩＣカード機能を介して精算時の通信を行いかつ前記非接触ＩＣカードに対する読み書きを行うリーダ／ライタ装置であって、
製品１つ１つに対して付与された特殊符号を記憶する記憶手段と、前記携帯端末装置との間の前記非接触ＩＣカード機能を介した通信による決算時に少なくとも期日情報と店情報と製品情報と当該製品に対応する前記特殊符号とを送信する手段と、これら送信した情報に前記携帯端末装置から得られた個人情報をリンクさせて前記記憶手段に記憶する手段とを備えている。
【００１０】
本発明による携帯端末装置は、非接触ＩＣ（Ｉｎｔｅｇｒａｔｅｄ  Ｃｉｒｃｕｉｔ）カードに対する読み書きを行うリーダ／ライタ装置との間で精算時の通信を行うための非接触ＩＣカード機能を持つ携帯端末装置であって、
前記リーダ／ライタ装置との間の前記非接触ＩＣカード機能を介した通信による決算時に前記リーダ／ライタ装置から得られた期日情報と店情報と製品情報と当該製品に対応して付加された特殊符号とを記憶するスケジュール機能と、前記スケジュール機能による前記期日情報に基づいて外部への報知を行う手段とを備えている。
【００１１】
本発明による情報交換方法は、非接触ＩＣ（Ｉｎｔｅｇｒａｔｅｄ  Ｃｉｒｃｕｉｔ）カード機能を持つ携帯端末装置と、前記非接触ＩＣカードに対する読み書きを行うリーダ／ライタ装置との間で前記非接触ＩＣカード機能を介して精算時の通信を行う情報交換システムに用いる情報交換方法であって、
前記リーダ／ライタ装置が、前記携帯端末装置との間の前記非接触ＩＣカード機能を介した通信による決算時に記憶手段に記憶された少なくとも期日情報と店情報と製品情報と当該製品１つ１つに対して付与された特殊符号とを送信する処理と、これら送信した情報に前記携帯端末装置から得られた個人情報をリンクさせて前記記憶手段に記憶する処理とを実行している。
【００１２】
本発明による情報交換方法のプログラムは、非接触ＩＣ（Ｉｎｔｅｇｒａｔｅｄ  Ｃｉｒｃｕｉｔ）カード機能を持つ携帯端末装置と、前記非接触ＩＣカードに対する読み書きを行うリーダ／ライタ装置との間で前記非接触ＩＣカード機能を介して精算時の通信を行う情報交換システムに用いる情報交換方法のプログラムであって、前記リーダ／ライタ装置のコンピュータに、前記携帯端末装置との間の前記非接触ＩＣカード機能を介した通信による決算時に記憶手段に記憶された少なくとも期日情報と店情報と製品情報と当該製品１つ１つに対して付与された特殊符号とを送信する処理と、これら送信した情報に前記携帯端末装置から得られた個人情報をリンクさせて前記記憶手段に記憶する処理とを実行させている。
【００１３】
本発明による他の情報交換方法のプログラムは、非接触ＩＣ（Ｉｎｔｅｇｒａｔｅｄ  Ｃｉｒｃｕｉｔ）カードに対する読み書きを行うリーダ／ライタ装置との間で精算時の通信を行うための非接触ＩＣカード機能を持つ携帯端末装置に用いる情報交換方法のプログラムであって、前記携帯端末装置のコンピュータに、前記リーダ／ライタ装置との間の前記非接触ＩＣカード機能を介した通信による決算時に前記リーダ／ライタ装置から得られた期日情報と店情報と製品情報と当該製品に対応して付加された特殊符号とをスケジュール機能に記憶する処理と、前記スケジュール機能による前記期日情報に基づいて外部への報知を行う処理とを実行させている。
【００１４】
すなわち、本発明の情報交換システムは、非接触ＩＣ（Ｉｎｔｅｇｒａｔｅｄ  Ｃｉｒｃｕｉｔ：集積回路）カード機能を有する携帯端末装置とリーダ／ライタ装置との間の非接触ＩＣカード機能を介した精算時の通信において、同時に期日情報を通信し、携帯端末装置のスケジュールに登録して報知することを特徴としている。
【００１５】
より具体的に説明すると、本発明の情報交換システムでは、携帯端末装置に外部入力スケジュール部を設け、リーダ／ライタ装置にデータ管理部を設けることで、非接触ＩＣ間の通信によって、リーダ／ライタ装置から外部入力スケジュール部に、特殊Ｎｏ、期日情報、製品情報、店情報を受信して記憶し、データ管理部に送出した特殊Ｎｏ、製品情報、期日情報及び携帯端末装置との非接触ＩＣ間の通信によって得られた個人情報をリンクさせて記憶する。携帯端末装置は外部入力スケジュール部に記憶された期日情報を基に使用者に対して報知を行う。
【００１６】
また、予約した製品の受け渡し時には、外部入力スケジュール部とデータ管理部とにそれぞれ記憶されている特殊Ｎｏ、店情報の一致検出を行い、両方とも一致した場合に製品の受け渡しを行う。
【００１７】
上記のように、本発明の情報交換システムでは、予約やクリーニング等の受け渡しがある製品に対して、携帯端末装置とリーダ／ライタ装置との間での非接触ＩＣを介した精算時に、製品納入日等の期日情報をリーダ／ライタ装置から携帯端末装置に送出し、携帯端末装置が期日情報をスケジュール機能に保存し、期日になったらスケジュール機能から使用者に対して報知を行うことによって、携帯端末装置の使用者が製品納入日等の期日を忘れることなく、その受け渡し日を知ることが可能となる。
【００１８】
また、本発明の情報交換システムでは、予約やクリーニング等の受け渡しがある製品について、特殊Ｎｏをつけて分別し、携帯端末装置とリーダ／ライタ装置との間における製品受け渡し時、特殊Ｎｏ、店情報を検索して一致した場合に、製品の引渡しを行うことによって、製品受け渡し時、予約を証明する紙等による確認の必要がなくなり、製品を間違えることなく渡すことが可能となる。
【００１９】
さらに、本発明の情報交換システムでは、予め期日を超過しても引取りが無い場合、店側から電子メールによる連絡が必要か否かを携帯端末装置側に記憶しておき、予約やクリーニング等の受け渡しがある製品に対して、携帯端末装置とリーダ／ライタ装置との間での非接触ＩＣを介した精算時に、製品情報とともに期日を超過しても引取りが無い場合に電子メールによる連絡が必要か否かを携帯端末装置側から読取ってリーダ／ライタ装置に記憶しておき、期日を超過した場合、リーダ／ライタ装置に携帯端末装置側が電子メールによる連絡が必要であると記憶されている場合、リーダ／ライタ装置から携帯端末装置に期日になった旨の電子メールを送出することによって、例え、携帯端末装置の使用者がスケジュール機能からの報知に気がつかない場合でも、製品納入日等の期日を忘れることなく知ることが可能となる。
【発明の効果】
【００２０】
本発明は、上記のような構成及び動作とすることで、携帯端末装置の使用者が製品納入日等の期日を忘れることなく、その受け渡し日を知ることができるという効果が得られる。
【発明を実施するための最良の形態】
【００２１】
次に、本発明の実施例について図面を参照して説明する。図１は本発明の一実施例による情報交換システムの構成を示すブロック図である。図１において、本発明の一実施例による情報交換システムは、非接触ＩＣ（集積回路）カード機能を有する携帯端末装置１と、その非接触ＩＣカード機能に対して情報の読出し書込みを行うリーダ／ライタ装置３とから構成され、携帯端末装置１はその非接触ＩＣカード機能によってリーダ／ライタ装置３との間で近距離無線送信にて情報の授受を行う。
【００２２】
図２は図１の携帯端末装置１の構成を示すブロック図である。図２において、携帯端末装置１は携帯機アンテナ部１１と、携帯機無線部１２と、ＭＣＰＵ（Ｍａｓｔｅｒ  Ｃｏｎｔｒｏｌｌｅｒ  Ｐｒｏｃｅｓｓｏｒ  Ｕｎｉｔ）１３と、キー入力部１４と、ＩＦ（インタフェース）部１５と、表示部１６と、ドライバ１７と、ＬＥＤ（Ｌｉｇｈｔ  Ｅｍｉｔｔｉｎｇ  Ｄｉｏｄｅ）１８と、スピーカ１９と、メモリ部２０と、スケジュール管理部２１と、非接触ＩＣ部２２とから構成されている。
【００２３】
スケジュール管理部２１は通常スケジュール部２１１と、外部入力スケジュール部２１２とを備え、非接触ＩＣ部２２は非接触ＩＣアンテナ部２２１と、非接触ＩＣ無線部２２２と、非接触ＩＣ制御部２２３とを備えている。
【００２４】
携帯端末装置１では、携帯機アンテナ部１１と携帯機無線部１２とＭＣＰＵ１３とを使用し、携帯端末装置１と図示せぬ基地局との間の通話／電子メールデータ等の送信受信が行われる。また、携帯端末装置１では、キー入力部１４とＩＦ部１５とを介して使用者による通話及び電子メール作成時のキー操作及びスケジュール入力が行われる。表示部１６はＭＣＰＵ１３から出力される電子メールデータやスケジュール内容等の各種設定時の選択画面を表示する。ＬＥＤ１８及びスピーカ１９はドライバ１７を介して携帯端末装置１の呼出時の報知を行う。
【００２５】
メモリ部２０には携帯端末装置１の個人情報やＭＣＰＵ１３で実行されるプログラム等が記憶されている。スケジュール管理部２１は使用者のスケジュールを記憶する。使用者によって入力されるスケジュールは通常スケジュール部２１１に記憶され、リーダ／ライタ装置３から非接触ＩＣ部２２を介して入力されるスケジュールは外部入力スケジュール部２１２に記憶される。
【００２６】
非接触ＩＣ部２２はリーダ／ライタ装置３の非接触ＩＣ部（図示せず）との間で近距離無線通信でデータのやり取りを行う。非接触ＩＣ制御部２２３はリーダ／ライタ装置３の非接触ＩＣ部との磁界変調信号等による通信信号で起動し、内部には様々な種類の認証情報を記憶しており、この認証情報が一致した場合のみ、外部の非接触ＩＣ（図示せず）との情報の読み書きを行う。また、非接触ＩＣを介してリーダ／ライタ装置３とやり取りされた通信情報はＭＣＰＵ１３に送出されて処理される。
【００２７】
図３は図１のリーダ／ライタ装置３の構成を示すブロック図である。図３において、リーダ／ライタ装置３はＭＣＰＵ３１と、非接触ＩＣ部３２と、キー入力部３３と、ＩＦ部３４と、表示部３５と、バーコード読取部３６と、データ管理部３７と、クロック部３８と、メモリ部３９とから構成されている。非接触ＩＣ部３２は非接触ＩＣアンテナ部３２１と、非接触ＩＣ無線部３２２と、非接触ＩＣ制御部３２３とを備えている。
【００２８】
リーダ／ライタ装置３の非接触ＩＣ部３２において、非接触ＩＣ制御部３２３は非接触ＩＣ部３２から送信される信号によって起動した携帯端末装置１の非接触ＩＣ部２２との無線通信を開始し、内部には様々な種類の認証情報を記憶しており、この認証情報が一致した場合のみ、携帯端末装置１の非接触ＩＣ部２２に対する情報の読み書きを行う。また、携帯端末装置１から取得した種々の情報はＭＣＰＵ３１に送られる。ＭＣＰＵ３１は必要な情報を認識し、データ管理部３７に記憶する。
【００２９】
使用者はキー入力部３３とＩＦ部３４とを介して情報をリーダ／ライタ装置３に入力可能であり、場合によってはデータ管理部３７に格納された情報をキー操作で表示部３５に表示することができる。図示せぬ製品の値段等の情報はＭＣＰＵ３１の制御によって、バーコード読取部３６によって読取られ、必要に応じてデータ管理部３７に保存される。クロック部３８によって生成されたクロックはＭＣＰＵ３１に供給され、内部の動作クッロクとして使用され、リーダ／ライタ装置３の時間情報を生成する。メモリ部３９にはＭＣＰＵ３１で実行されるプログラム等が記憶されている。
【００３０】
図４は図２の携帯端末装置１のスケジュール管理部２１に記憶されている内容を示す図であり、図５は図３のリーダ／ライタ装置３のデータ管理部３７に記憶されている内容を示すである。まず、図４に示すスケジュール管理部２１に記憶されている内容について説明する。
【００３１】
スケジュール管理部２１内は２つに分かれており、使用者によって入力されるスケジュールが通常スケジュール部２１１に記憶され、リーダ／ライタ装置３から非接触ＩＣ部２２を介して受信したスケジュールが外部入力スケジュール部２１２に記憶される。通常スケジュール部２１１は、従来からある技術であり、一例として、日／時間／内容／場所／備考／報知の有無が記憶されている。
【００３２】
次に、図４に示す外部入力スケジュール部２１２に記憶されている内容について説明する。例として、あるクリーニング店で衣類をクリーニングに出した場合、非接触ＩＣを介したリーダ／ライタ装置３との間の代金精算時、同時にクリーニングの仕上がり時の情報を受信して記憶する。外部入力スケジュール部２１２には、特殊Ｎｏ／日／時間／内容／製品名称／場所／店／引取り情報が記憶されている。
【００３３】
また、外部入力スケジュール部２１２には、別の情報として、ＤＶＤを□□店で予約した場合、精算時に□□店のリーダ／ライタ装置３からＤＶＤ入手日等の情報を受信し、同様に特殊Ｎｏ／製品を受け取る日／時間／製品名称／場所／店／引取り情報が記憶されている。この特殊Ｎｏは、リーダ／ライタ装置３で付けられ、製品を表す番号となる。
【００３４】
ここで、引取り情報は、製品の引取り時に、再び、リーダ／ライタ装置３との非接触ＩＣを介した情報の送受信で書き換えが可能で、引取りが完了すると、「未」→「済」に変更され、引取り済になると報知期日になっても、報知は行われない。
【００３５】
また、外部入力スケジュール部２１２に記憶されたスケジュールも、通常スケジュール部２１１に記憶されたスケジュールと同様に、使用者によるキー入力部３３の操作によって表示部３５に表示可能である。
【００３６】
図５に示すリーダ／ライタ装置３のデータ管理部３７の内容は、期日情報を有した製品を購入した携帯端末所有者お客様名と、その製品の入手日期日情報とから構成される。図５においては、一例として、データ管理部３７に、特殊Ｎｏ／製品を受け渡す日／時間／製品名／お客様名／住所／ＴＥＬ／ＭＡＩＬアドレス／引取り情報の各種情報３７ａが記憶されている。
【００３７】
特殊Ｎｏは、ＭＣＰＵ３１によってリーダ／ライタ装置３が設置されている店の製品１つ１つに対して違う番号が付けられ、データ管理部３７に記憶されている。製品を予約した携帯端末装置１側にも同一の番号で送出されて記憶されている。
【００３８】
尚、データ管理部３７の内容は、一例であるので、ＴＥＬ／ＭＡＩＬアドレス等の情報が必要ない場合には削除しても良い。引取り情報は、製品の引取り時に携帯端末装置１との非接触ＩＣを介した送受信で書き換えが行われ、引取りが完了すると、「未」→「済」に変更される。また、データ管理部３７には、店情報／製品名／製品値段情報／製品期日情報／製品のその他の情報の情報３７ｂも格納されている。
【００３９】
図６は図１の携帯端末装置１の製品購入時の動作を示すフローチャートであり、図７は図１のリーダ／ライタ装置３の製品購入時の動作を示すフローチャートである。これら図１〜図７を参照して携帯端末装置１及びリーダ／ライタ装置３の製品購入時の動作について説明する。尚、図６に示す処理は携帯端末装置１においてＭＣＰＵ１３がメモリ部２０のプログラムを実行することで実現され、図７に示す処理はリーダ／ライタ装置３においてＭＣＰＵ３１がメモリ部３９のプログラムを実行することで実現される。以下、ある店である製品を購入及び予約した場合の例について説明する。
【００４０】
精算時に携帯端末装置１の非接触ＩＣ部２２付近をリーダ／ライタ装置３の非接触ＩＣ部３２にかざした場合、携帯端末装置１とリーダ／ライタ装置３との間で非接触ＩＣを介した通信の確立を待つ（図６ステップＳ１，図７ステップＳ１１）。通信確立前は、携帯端末装置１は通常モードと呼ばれる、通信の待ち受け状態とし、リーダ／ライタ装置３は待機状態とする。
【００４１】
通信が確立した場合（図６ステップＳ１，図７ステップＳ１１）、携帯端末装置１の非接触ＩＣ制御部２２３はリーダ／ライタ装置３の非接触ＩＣ制御部３２３に保存されている認証情報を確認し（図６ステップＳ２）、リーダ／ライタ装置３の非接触ＩＣ制御部３２３は携帯端末装置１の非接触ＩＣ制御部２２３に保存されている認証情報の確認を行い（図７ステップＳ１２）、互いに認証が可能であった場合、携帯端末装置１とリーダ／ライタ装置３との情報送受信が可能となる。
【００４２】
上記のステップＳ１，Ｓ１１の処理で通信が確立されない場合、携帯端末装置１及びリーダ／ライタ装置３は通信確立を待つ。また、ステップＳ２，Ｓ１２の処理で相互認証が確立されない場合、携帯端末装置１及びリーダ／ライタ装置３は非接触ＩＣ部２２，３２による通信を中止し、ステップＳ１，Ｓ１１の処理で新たなる通信確立を待つ。
【００４３】
また、上記のステップＳ１２の処理で相互認証が確立された場合、リーダ／ライタ装置３のＭＣＰＵ３１は表示部３５を介して精算用途、例えば、製品の予約精算／クリーニング品の引取り／清算のみ／予約品の受け渡し／クリーニング済み品の受け渡し等の製品情報をリーダ／ライタ装置３の使用者に確認する（図７ステップＳ１３）。また、上記のステップＳ２の処理で相互認証が確立された場合、携帯端末装置１のＭＣＰＵ１３は表示部１６を介して精算用途、例えば、製品の予約精算／クリーニング品の引取り／清算のみ／予約品の受け渡し／クリーニング済み品の受け渡し等の製品情報を携帯端末装置１の使用者に確認する（図６ステップＳ３）。
【００４４】
この処理で使用者によって予約精算及びクリーニング品の引取り等であり、キー入力部３３を介した期日情報の入力が必要であること及び期日情報が入力された場合、ＭＣＰＵ３１は入力された期日情報／データ管理部３７に格納されているリーダ／ライタ装置３が設置されている店情報／製品名／製品の値段情報／特殊Ｎｏを、非接触ＩＣ部３２を介して携帯端末装置１に送信する（図７ステップＳ１４）。この時、期日情報が入力された場合、ＭＣＰＵ１３は期日情報／店情報／製品名／製品の値段情報／特殊Ｎｏを非接触ＩＣ部２２を介してリーダ／ライタ装置３から受信する（図６ステップＳ４）。
【００４５】
ここで、上記のステップＳ３，Ｓ１３の処理において、例えば、ＭＣＰＵ３１はバーコード読取部３６によって製品についているバーコードを読取り、精算用途（バーコードで読取れる場合、製品があるので用途は清算のみとなる）、値段を判断してもよい。また、製品についている非接触ＩＣタグを非接触ＩＣ部３２にかざして読取り、精算用途（この場合も製品があるので用途は清算のみとなる）、値段を判断してもよい。
【００４６】
さらに、データ管理部３７に予め製品情報が記憶されていて、上記のステップＳ３，Ｓ１３の処理に移行した場合に自動的に表示部３５に製品選択画面が表示され、リーダ／ライタ装置３の使用者が製品を選択すると、データ管理部３７に記憶された期日情報が自動的に読出されるようにしてもよい。さらにまた、クリーニングの引取りの場合には、データ管理部３７に衣類の種類に応じて、引取り日から受け渡し日の期間を記憶しておき、表示部３５に衣類の種類選択画面が表示され、衣類種類を選択すると、種類に応じて、引取り日から完了し受け渡しできる期日情報を算出してもよい。
【００４７】
次に、携帯端末装置１のＭＣＰＵ１３は非接触ＩＣ部２２を介して上記のリーダ／ライタ装置３から送信された情報を受信し（図６ステップＳ４）、スケジュール管理部２１の外部スケジュール部２１２に引取り「未」として、図４に示すスケジュール管理部２１の外部入力スケジュール部２１２の内容のように保存する（図６ステップＳ５）。ＭＣＰＵ１３はメモリ部２０に記憶されている携帯端末装置１の個人情報を、非接触ＩＣ部２２を介してリーダ／ライタ装置３に送信する（図６ステップＳ６）。
【００４８】
リーダ／ライタ装置３のＭＣＰＵ３１は非接触ＩＣ部３２を介して、携帯端末装置１の個人情報を受信し（図７ステップＳ１５）、図５に示すリーダ／ライタ装置３のデータ管理部３７の内容のように特殊Ｎｏ／製品の期日情報／製品名／お客様名／住所／ＴＥＬ／ＭＡＩＬアドレス／引取り情報等を関連付けてデータ管理部３７に保存する（図７ステップＳ１６）。
【００４９】
携帯端末装置１及びリーダ／ライタ装置３は互いの非接触ＩＣ部２２，３２を介して、製品の精算情報の処理を行う（図６ステップＳ７，図７ステップＳ１７）。携帯端末装置１では精算情報の処理が非接触ＩＣ部２２の非接触ＩＣ制御部２２３で処理される。リーダ／ライタ装置３では、ＭＣＰＵ３１が処理を行い、データ管理部３７に処理情報を保存する。ここで、精算情報の処理については従来の技術と同様であるため、その説明については省略する。
【００５０】
また、上記のステップＳ３，Ｓ１３の処理において、リーダ／ライタ装置３の使用者によって期日情報無しと入力または選択された場合、ＭＣＰＵ３１は非接触ＩＣ部３２を介して、携帯端末装置１に値段情報のみを送出し（図７ステップＳ１９）、携帯端末装置１の非接触ＩＣ制御部２２３は非接触ＩＣ部２２を介して値段情報のみを受信し（図６ステップＳ１０）、携帯端末装置１及びリーダ／ライタ装置３は製品の精算情報の処理を行う（図６ステップＳ７，図７ステップＳ１７）。
【００５１】
精算情報の処理後、携帯端末装置１のＭＣＰＵ１３はスピーカ１９を使用し、精算の終了を告げる報知を行い（図６ステップＳ８）、携帯端末装置１の使用者は精算が終わったと判断し、リーダ／ライタ装置３の非接触ＩＣ部３２から携帯端末装置１を遠ざけると、リーダ／ライタ装置３の非接触ＩＣ部３２と携帯端末装置１の非接触ＩＣ部２２との間の通信が切断される（図６ステップＳ９，図７ステップＳ１８）。その通信が切断された後、携帯端末装置１は通常モードと呼ばれる通信の待ち受け状態、リーダ／ライタ装置３は待機状態に戻る。ステップＳ９，Ｓ１８の処理で通信切断が確立されない場合、携帯端末装置１及びリーダ／ライタ装置３は通信の切断の確立を待つ。
【００５２】
図８は図１の携帯端末装置１の製品受け渡し時の動作を示すフローチャートであり、図９は図１のリーダ／ライタ装置３の製品受け渡し時の動作を示すフローチャートである。これら図１〜図５と図８と図９とを参照して本発明の一実施例による情報交換システムにおいて、予約した製品及びクリーニングに出した衣類を受け渡す場合の動作について説明する。尚、図８に示す処理は携帯端末装置１においてＭＣＰＵ１３がメモリ部２０のプログラムを実行することで実現され、図９に示す処理はリーダ／ライタ装置３においてＭＣＰＵ３１がメモリ部３９のプログラムを実行することで実現される。
【００５３】
携帯端末装置１の非接触ＩＣ部２２付近をリーダ／ライタ装置３の非接触ＩＣ部３２にかざした場合、携帯端末装置１とリーダ／ライタ装置３との非接触ＩＣを介した通信の確立を待つ（図８ステップＳ２１、図９ステップＳ３１）。通信の確立前、携帯端末装置１は通常モードと呼ばれる通信の待ち受け状態とし、リーダ／ライタ装置３は待機状態とする。上記のステップＳ２１，Ｓ３１で通信が確立されない場合には、携帯端末装置１及びリーダ／ライタ装置３は通信の確立を待つ。
【００５４】
上記のステップＳ２１，Ｓ３１で通信が確立した場合、携帯端末装置１の非接触ＩＣ制御部２２３はリーダ／ライタ装置３の非接触ＩＣ制御部３２３に保存されている認証情報を確認し（図８ステップＳ２２）、リーダ／ライタ装置３の非接触ＩＣ制御部３２３は携帯端末装置１の非接触ＩＣ制御部２２３に保存されている認証情報の確認を行い（図９ステップＳ３２）、互いに認証が可能であった場合、携帯端末装置１とリーダ／ライタ装置３との情報送受信が可能となる。
【００５５】
また、上記のステップＳ２２，Ｓ３２で相互認証が確立されない場合には、非接触ＩＣ部２２，３２による通信を中止し、携帯端末装置１及びリーダ／ライタ装置３はステップＳ２１，Ｓ３１で新たな通信の確立を待つ。
【００５６】
上記のステップＳ２２，Ｓ３２で相互認証が確立された場合、リーダ／ライタ装置３のＭＣＰＵ３１は非接触ＩＣ部３２を介し、データ管理部３７に記憶されているリーダ／ライタ装置３が設置されている店情報を送信する（図９ステップ３３）。携帯端末装置１のＭＣＰＵ１３は非接触ＩＣ部２２を介し、店情報を受信する（図８ステップＳ２３）。
【００５７】
次に、ＭＣＰＵ１３は受信した店情報と外部入力スケジュール部２１２に記憶されている店情報とが一致し、かつ引取り「未」の製品の特殊Ｎｏを全て検出する（図８ステップＳ２４）。このステップＳ２４で上記の条件を満たす特殊Ｎｏが有った場合、ＭＣＰＵ１３は店情報が一致した全ての特殊Ｎｏを非接触ＩＣ部２２を介して送信する（図８ステップＳ２５）。
【００５８】
ステップＳ２４，Ｓ３４で特殊Ｎｏが無い場合、ＭＣＰＵ１３は処理終了を行い（図８ステップＳ２８）、スピーカ１９を使用して処理終了を告げる報知を行う（図８ステップＳ２９）。携帯端末装置１の使用者は処理が終わったと判断し、リーダ／ライタ装置３の非接触ＩＣ部３２から携帯端末装置１を遠ざけると、リーダ／ライタ装置３の非接触ＩＣ部３２と携帯端末装置１の非接触ＩＣ部２２との通信が切断される（図８ステップＳ３０、図９ステップＳ３９）。
【００５９】
そして、通信が切断された後、携帯端末装置１は通常モードと呼ばれる通信の待ち受け状態、リーダ／ライタ装置３は待機状態に戻る。ステップＳ３０，Ｓ３９で通信切断が確立されない場合、携帯端末装置１及びリーダ／ライタ装置３は通信切断の確立を待つ。
【００６０】
リーダ／ライタ装置３のＭＣＰＵ３１は店情報が一致しかつ引取り「未」の製品の特殊Ｎｏを検出すると（図９ステップＳ３４）、非接触ＩＣ部３２を介して店情報が一致した全ての特殊Ｎｏを受信し（図９ステップＳ３５）、データ管理部３７に記憶されている特殊Ｎｏと一致するものがあるかの確認を行う（図９ステップＳ３６）。特殊Ｎｏがあった場合、ＭＣＰＵ３１はデータ管理部３７に記憶されている特殊Ｎｏの製品の引取り情報を「未」→「済」に変更を行い（図９ステップＳ３７）、非接触ＩＣ部３２を介して携帯端末装置１へ特殊Ｎｏ有り情報を送出する。
【００６１】
ＭＣＰＵ１３は特殊Ｎｏ有り情報を受信し、外部入力スケジュール部２１２に記憶されている受信した特殊Ｎｏと同一の製品の引取り情報を「未」→「済」に変更する（図８ステップＳ２７）。ここで、引取り情報を「未」から「済」に変更された日付が外部入力スケジュール部２１２に記憶された日付前であり、その後、記憶された日付が来たとしても引取り情報が「済」になっている場合、携帯端末装置１は報知を行わない。
【００６２】
ステップＳ３６でデータ管理部３７に記憶されている特殊Ｎｏと一致するものが無いと判断された場合、ＭＣＰＵ３１は処理終了を行い（図９ステップＳ３８）、非接触ＩＣ部３２を介して携帯端末装置１側に処理終了を送出する。ＭＣＰＵ１３は非接触ＩＣ部２２を介してリーダ／ライタ装置３からの処理終了を受信し、携帯端末装置１側の処理終了を行い（図８ステップＳ２８）、スピーカ１９を使用して処理終了を告げる報知を行う（図８ステップＳ２９）。
【００６３】
携帯端末装置１の使用者は処理が終わったと判断し、リーダ／ライタ装置３の非接触ＩＣ部３２から携帯端末装置１を遠ざけると、リーダ／ライタ装置３の非接触ＩＣ部３２と携帯端末装置１の非接触ＩＣ部２２の通信が切断される（図８ステップＳ３０、図９ステップＳ３９）。そして、通信が切断された後、携帯端末装置１は通常モードと呼ばれる通信の待ち受け状態に戻り、リーダ／ライタ装置３は待機状態に戻る。ステップＳ３０，Ｓ３９で通信切断が確立されない場合、携帯端末装置１及びリーダ／ライタ装置３は通信切断の確立を待つ。
【００６４】
図１０は本発明の他の実施例による携帯端末装置の構成を示すブロック図である。図１０において、本発明の他の実施例による携帯端末装置１ａは期日連絡記憶部２３を設けた以外は図２に示す本発明の一実施例による携帯端末装置１と同様の構成となっており、同一構成要素には同一符号を付してある。
【００６５】
期日連絡記憶部２３は外部入力スケジュール部２１２に記憶されている製品の期日情報が超過された場合に店側からメール連絡を受けるか否かを記憶しているブロックである。この製品の期日情報は携帯端末装置１の使用者によるキー操作によって選択可能となっており、予めどちらかに選択されている。
【００６６】
図１１は本発明の他の実施例によるリーダ／ライタ装置の構成を示すブロック図である。図１０において、本発明の他の実施例によるリーダ／ライタ装置３ａはデータ管理部３７に保存されている期日情報を監視するデータ監視部４０と、図示せぬサーバに有線で接続されたモデム４１とを設けた以外は図３に示す本発明の一実施例によるリーダ／ライタ装置３と同様の構成となっており、同一構成要素には同一符号を付してある。
【００６７】
本発明の他の実施例では、上記のような構成とすることで、期日を超過しても引取りの無い製品に対し、リーダ／ライタ装置３ａ側からお客様に対して自動的にインタネット経由で期日になった旨を電子メールで送信できるようになっている。上述した本発明の一実施例によるスケジュール機能からの報知に気がつかなかった場合について、リーダ／ライタ装置３ａ側からの電子メール連絡によって、携帯端末装置１ａの使用者は期日を知ることができる。
【００６８】
図１２は図１１に示すリーダ／ライタ装置３ａのデータ管理部３７に記憶されている内容を示す図である。尚、携帯端末装置１ａのスケジュール管理部２１の内容は図４に示す本発明の一実施例による携帯端末装置１のスケジュール管理部２１の内容と同様であるので、その図示及び説明は省略する。
【００６９】
データ管理部３７には、それぞれの製品に対して、期日になるとお客様に対して電子メール連絡をするか否かの期日連絡有無情報が追加されて記憶されている（図１２の３７ｃ参照）。期日連絡の有無は、精算時に携帯端末装置１から受信して記憶する。また、データ管理部３７の内容には、特定時間情報が追加されている（図１２の３７ｄ参照）。
【００７０】
リーダ／ライタ装置３のＭＣＰＵ３１は、毎日、特定時間情報になると、データ管理部３７に記憶されている製品の期日情報を確認し、期日を過ぎた製品があるとお客様に対し、自動的に電子メールを送出する。
【００７１】
図１３は本発明の他の実施例による非接触ＩＣカードを有する携帯端末装置１ａの製品購入時の動作を示すフローチャートであり、図１４は本発明の他の実施例によるリーダ／ライタ装置３ａの製品購入時の動作を示すフローチャートである。これら図１０〜図１４を参照して本発明の他の実施例による情報交換システムにおいてある店である製品を購入及び予約した場合の動作について説明する。尚、図１３に示す処理は携帯端末装置１ａにおいてＭＣＰＵ１３がメモリ部２０のプログラムを実行することで実現され、図１４に示す処理はリーダ／ライタ装置３ａにおいてＭＣＰＵ３１がメモリ部３９のプログラムを実行することで実現される。
【００７２】
図１３に示す携帯端末装置１ａ側のステップＳ４１〜Ｓ４６，Ｓ５０〜Ｓ５３の処理は、図６に示す本発明の一実施例による携帯端末装置１側のステップＳ１〜Ｓ１０の処理と同等であり、また図１４に示すリーダ／ライタ装置３ａ側のステップＳ６１〜Ｓ６５，Ｓ６９〜Ｓ７２の処理は、図７に示す本発明の一実施例によるリーダ／ライタ装置３側のステップＳ１１〜Ｓ１９の処理と同等であるため、それらの説明については省略する。
【００７３】
携帯端末装置１ａのＭＣＰＵ１３は非接触ＩＣ部２２を介して、リーダ／ライタ装置３ａからデータ管理部３７に格納されているリーダ／ライタ装置３ａが設置されている店情報／製品名／製品の値段情報／特殊Ｎｏを受信し（図１３ステップＳ４４）、スケジュール管理部２１の外部入力スケジュール部２１２に引取り「未」として、図４に示すスケジュール管理部２１の外部入力スケジュールのように保存する（図１３ステップＳ４５）。
【００７４】
次に、ＭＣＰＵ１３はメモリ部２０に記憶されている携帯端末装置１ａの個人情報を、非接触ＩＣ部２２を介してリーダ／ライタ装置３ａに送出する（図１３ステップＳ４６）。また、ＭＣＰＵ１３は期日連絡記憶部２３に記憶されている期日情報が超過された場合に店側から電子メール連絡を受けるか否かの情報の確認を行う（図１３ステップＳ４７）。期日連絡有りが確認された場合、ＭＣＰＵ１３は期日連絡有り情報を、非接触ＩＣ部２２を介してリーダ／ライタ装置３ａに送出する（図１３ステップＳ４８）。
【００７５】
リーダ／ライタ装置３ａのＭＣＰＵ３１は非接触ＩＣ部３２を介して期日情報有りを受信し（図１４ステップＳ６６，Ｓ６７）、図１２に示すリーダ／ライタ装置３ａのデータ管理部３７のように特殊Ｎｏ／製品の期日情報／製品名／お客様名／住所／ＴＥＬ／ＭＡＩＬアドレス／引取り情報／期日連絡の有りを関連付けてデータ管理部３７に保存する（図１４ステップＳ６９）。
【００７６】
また、ステップＳ４７で期日連絡記憶部２３内に期日連絡無しを確認した場合、ＭＣＰＵ１３は期日連絡無し情報を非接触ＩＣ部２２を介してリーダ／ライタ装置３ａに送出する（図１３ステップＳ４９）。
【００７７】
リーダ／ライタ装置３ａのＭＣＰＵ３１は非接触ＩＣ部３２を介して、期日情報無し情報を受信し（図１４ステップＳ６６，Ｓ６８）、図１２に示すリーダ／ライタ装置３ａのデータ管理部３７のように特殊Ｎｏ／製品の期日情報／製品名／お客様名／住所／ＴＥＬ／ＭＡＩＬアドレス／引取り情報／期日連絡の無しを関連付けてデータ管理部３７に保存する（図１４ステップＳ６９）。
【００７８】
続いて、携帯端末装置１ａ及びリーダ／ライタ装置３ａは、互いの非接触ＩＣ部２２，３２を介して、製品の精算情報の処理を行う（図１３ステップＳ５１、図１４ステップＳ７０）。
【００７９】
図１５は本発明の他の実施例によるリーダ／ライタ装置３ａの製品受け渡し期日になった場合の動作を表すフローチャートである。これら図１０と図１１と図１５とを参照してリーダ／ライタ装置３ａの動作について説明する。
【００８０】
ＭＣＰＵ３１はクロック部３８を使用して時計としての時間情報を生成している。ＭＣＰＵ３１は待機状態から、時間情報がデータ管理部３７に記憶されている特定時間情報（本実施例では、例として毎日１３：００）を超過した場合（図１５ステップＳ８１）、データ管理部３７に記憶されている製品の期日情報を確認し、日付が超過している製品を検索する（図１５ステップＳ８２）。特定時間を超過していない場合、ＭＣＰＵ３１はステップＳ８１にて再び特定時間超過を待つ。
【００８１】
ＭＣＰＵ３１はデータ管理部３７内に日付が超過している製品を検索できた場合、さらに確認を行い、引取りが「未」か「済」かを確認する（図１５ステップＳ８３）。また、ＭＣＰＵ３１はデータ管理部３７内に日付が超過している製品を検索できなかった場合、処理を終了し、ステップＳ８１にて再び特定時間超過を待つ。
【００８２】
ＭＣＰＵ３１はデータ管理部３７内に日付が超過し、かつ引取りが「未」の製品を検索できた場合、さらに確認を行い、期日連絡の有無を確認する（図１５ステップＳ８４）。また、ＭＣＰＵ３１は引取りが「未」の製品を検索できた場合、処理を終了し、ステップＳ８１にて再び特定時間超過を待つ。
【００８３】
ＭＣＰＵ３１はデータ管理部３７内に日付が超過し、引取りが「未」で、期日連絡が有りの製品を検査できた場合、データ管理部３７内に記憶されているその検索した製品のお客様の携帯端末装置のアドレスに対し、モデム４１からサーバを経由し、製品が納入された旨の電子メールを送信する（図１５ステップＳ８５）。
【００８４】
このように、本発明では、予約やクリーニング等の受け渡しがある製品に対して、携帯端末装置１，１ａとリーダ／ライタ装置３，３ａとの間での非接触ＩＣを介した精算時に、製品納入日等の期日情報をリーダ／ライタ装置３，３ａから携帯端末装置１，１ａに送出し、携帯端末装置１，１ａが期日情報をスケジュール機能に保存し、期日になったらスケジュール機能から使用者に対して報知を行うことによって、携帯端末装置１，１ａの使用者が製品納入日等の期日を、忘れることなく知ることができる。
【００８５】
また、本発明では、予約やクリーニング等の受け渡しがある製品について、特殊Ｎｏをつけて分別し、携帯端末装置１，１ａとリーダ／ライタ装置３，３ａとの間における製品受け渡し時、特殊Ｎｏと店情報とを検索し、一致した場合に、製品の引渡しを行うことによって、製品受け渡し時、予約を証明する紙等による確認の必要がなくなり、製品を間違えることなく渡すことができる。
【００８６】
さらに、本発明では、予め期日を超過しても引取りが無い場合、店側から電子メールによる連絡が必要か否かを携帯端末装置１ａ側に記憶しておき、予約やクリーニング等の受け渡しがある製品に対して、携帯端末装置１ａとリーダ／ライタ装置３ａとの間での非接触ＩＣを介した精算時に、製品情報とともに期日を超過しても引取りが無い場合に電子メールによる連絡が必要か否かを携帯端末装置１ａ側から読取り、リーダ／ライタ装置３ａに記憶しておき、期日を超過した場合、リーダ／ライタ装置３ａに携帯端末装置１ａ側が電子メールによる連絡が必要であると記憶されている場合、リーダ／ライタ装置３ａから携帯端末装置１ａに、期日になった旨の電子メールを送出することによって、例え、携帯端末装置１ａの使用者が、上記のスケジュール機能からの報知に気がつかない場合でも、製品納入日等の期日を忘れることなく知ることができる。
【産業上の利用可能性】
【００８７】
本発明は、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置において、非接触ＩＣカード機能で通信可能でかつ電子メールの送受信が可能な装置に適用可能である。また、本発明は、商店等に設置される非接触ＩＣカード機能で通信可能であり、電子メールの送受信が可能なリーダ／ライタ装置に適用可能である。
【図面の簡単な説明】
【００８８】
【図１】本発明の一実施例による情報交換システムの構成を示すブロック図である。
【図２】図１の携帯端末装置の構成を示すブロック図である。
【図３】図１のリーダ／ライタ装置の構成を示すブロック図である。
【図４】図２の携帯端末装置のスケジュール管理部に記憶されている内容を示す図である。
【図５】図３のリーダ／ライタ装置のデータ管理部に記憶されている内容を示すである。
【図６】図１の携帯端末装置の製品購入時の動作を示すフローチャートである。
【図７】図１のリーダ／ライタ装置の製品購入時の動作を示すフローチャートである。
【図８】図１の携帯端末装置の製品受け渡し時の動作を示すフローチャートである。
【図９】図１のリーダ／ライタ装置の製品受け渡し時の動作を示すフローチャートである。
【図１０】本発明の他の実施例による携帯端末装置の構成を示すブロック図である。
【図１１】本発明の他の実施例によるリーダ／ライタ装置の構成を示すブロック図である。
【図１２】図１１に示すリーダ／ライタ装置のデータ管理部に記憶されている内容を示す図である。
【図１３】本発明の他の実施例による非接触ＩＣカードを有する携帯端末装置の製品購入時の動作を示すフローチャートである。
【図１４】本発明の他の実施例によるリーダ／ライタ装置の製品購入時の動作を示すフローチャートである。
【図１５】本発明の他の実施例によるリーダ／ライタ装置の製品受け渡し期日になった場合の動作を表すフローチャートである。
【符号の説明】
【００８９】
１，１ａ  携帯端末装置
３，３ａ  リーダ／ライタ装置
１１  携帯機アンテナ部
１２  携帯機無線部
１３，３１  ＭＣＰＵ
１４，３３  キー入力部
１５，３４  ＩＦ部
１６，３５  表示部
１７  ドライバ
１８  ＬＥＤ
１９  スピーカ
２０，３９  メモリ部
２１  スケジュール管理部
２２，３２  非接触ＩＣ部
２３  期日連絡記憶部
３６  バーコード読取部
３７  データ管理部
３８  クロック部
４０  データ監視部
４１  モデム
２１１  通常スケジュール部
２１２  外部入力スケジュール部
２２１，３２１  非接触ＩＣアンテナ部
２２２，３２２  非接触ＩＣ無線部
２２３，３２３  非接触ＩＣ制御部
【図１】
2007148468.tif 000003
【図２】
2007148468.tif 000004
【図３】
2007148468.tif 000005
【図４】
2007148468.tif 000006
【図５】
2007148468.tif 000007
【図６】
2007148468.tif 000008
【図７】
2007148468.tif 000009
【図８】
2007148468.tif 000010
【図９】
2007148468.tif 000011
【図１０】
2007148468.tif 000012
【図１１】
2007148468.tif 000013
【図１２】
2007148468.tif 000014
【図１３】
2007148468.tif 000015
【図１４】
2007148468.tif 000016
【図１５】
2007148468.tif 000017